(57)【特許請求の範囲】
【請求項１】
液中部と液上部との間を周回移動して液中の固体分を捕捉する複数のスクリーンを取り付けた周回機構と、
前記周回機構を介して前記スクリーンを周回駆動する駆動手段と、
前記駆動手段に制動力を与えて前記周回機構の周回移動を阻止する制動手段とを有し、
前記制動手段は、
前記駆動手段に着脱自在に装着したブレーキディスクと、
前記駆動手段を設置した固定部に着脱自在に取り付けられ、前記ブレーキディスクに圧接して前記駆動手段に制動力を与える摩擦パッドと、
前記摩擦パッドによる制動力を踏み込み量によって制動力を調整できるようにした足踏みペダルと、
を備えてなり、
前記制動手段はブレーキスタンドに装備され、このブレーキスタンドのベースプレートを除塵装置の取付ベースに着脱自在に固定していることを特徴とする除塵装置と除塵装置に着脱可能なディスクブレーキとからなる装置。
【発明の詳細な説明】
【０００１】
【発明の属する技術分野】
本発明は、液中から固体分を分離する除塵装置に係り、特に取水路などに配設されて水中部と水上部とを周回し、水中の塵芥を捕捉して除去するスクリーンを備えた除塵装置と除塵装置に着脱可能なディスクブレーキとからなる装置に関する。
【０００２】
【従来の技術】
工業用水の用水路や発電所等の冷却水の取水路には、塵芥が流入するのを防止するため、一般に除塵装置を設置して水中の塵芥を除去している。従来のこの種の除塵装置として最もよく知られているものは、水路の両側にリンクチェーンを周回移動可能に設け、このリンクチェーンの各リンクのそれぞれにバースクリーンまたは金網からなるスクリーンの複数を、水流に対して直交または所定の傾斜角度をなすように取り付けて、モータによってリンクチェーンを介してスクリーンを周回駆動することにより、水中の塵芥をスクリーンによって捕捉して水路外に排出するようになっている。
【０００３】
ところで、このようなスクリーンを有する除塵装置は、長時間の使用に伴ってスクリーンに藻や貝等の生物が着生するなどしてスクリーンに目詰りを生じ、用水または冷却水を十分に取水することができなくなる。このため、上記のような除塵装置においては、一般に定期的にスクリーンをリンクチェーンから取り外して清掃を行い、付着物を除去したスクリーンを再びリンクチェーンに取り付ける装置の分解、組立を必要としている。
【０００４】
【発明が解決しようとする課題】
上記した除塵装置の分解、組立、すなわちスクリーンの取り外し、取り付けは、スクリーンをリンクチェーンから１つずつ取り外したり、１つずつ取り付けることによって行われる。ところが、除塵装置は、通常、１台当たり３０〜６０個のスクリーンをリンクチェーンに連続的に取り付けてあり、スクリーンを１つずつ取り外したり取り付けて行く際に、リンクチェーンを周回させるスプロケットホイールの両側の重量バランスが崩れ、分解、組立の作業途中にモータが自転してしまう場合がある。このようにモータが自転すると、リンクチェーンが移動してスクリーンの取り外し、取り付け作業をすることができないばかりでなく、作業者が水路に転落したりする危険がある。
【０００５】
そこで、従来は、除塵装置の分解、組立の際にスプロケットホイールの両側の重量バランスが崩れないように注意してスクリーンの取り外し、取り付け作業をしたり、チェーンブロックをスクリーンの枠に引っ掛け、モータが自転するのを強制的に阻止してスクリーンの取り外し、取り付け作業を行っており、作業性が非常に悪い。そして、スクリーンを１つ取り外したり、取り付ける毎にモータを起動してリンクチェーンを送るようにしているが、スクリーンの取り外し中、または取り付け中に駆動スイッチが誤って押された場合、リンクチェーンが回転するため、大事故につながるおそれがある。
【０００６】
本発明は、前記従来技術の欠点を解消するためになされたもので、作業の安全性と作業効率とを向上することができる除塵装置と除塵装置に着脱可能なディスクブレーキとからなる装置を提供することを目的としている。
【０００７】
【課題を解決するための手段】
上記の目的を達成するために、本発明に係る除塵装置と除塵装置に着脱可能なディスクブレーキとからなる装置は、液中部と液上部との間を周回移動して液中の固体分を捕捉する複数のスクリーンを取り付けた周回機構と、前記周回機構を介して前記スクリーンを周回駆動する駆動手段と、前記駆動手段に制動力を与えて前記周回機構の周回移動を阻止する制動手段とを有し、前記制動手段は、前記駆動手段に着脱自在に装着したブレーキディスクと、前記駆動手段を設置した固定部に着脱自在に取り付けられ、前記ブレーキディスクに圧接して前記駆動手段に制動力を与える摩擦パッドと、前記摩擦パッドによる制動力を踏み込み量によって制動力を調整できるようにした足踏みペダルと、を備えてなり、前記制動手段はブレーキスタンドに装備され、このブレーキスタンドのベースプレートを除塵装置の取付ベースに着脱自在に固定していることを特徴としている。
【０００８】
駆動手段がモータである場合、制動手段の着脱を容易にするために、モータの回転軸を回転子が収納してあるモータカバーの後方側にも突出させ、モータカバーの後方側に突出させた尾軸に制動手段のブレーキディスクやブレーキドラムを取り付ける。そして、制動手段がディスクブレーキである場合、ブレーキディスクを挟圧する摩擦パッドを備えたキャリパを、床などに着脱可能に設けたスタンドなどに取り付け、スタンドとともに容易に移設できるようにすることが望ましい。
【００１０】
【作用】
上記のごとく構成した本発明は、スクリーンを周回移動させる駆動手段に制動手段を設け、駆動手段に制動力を作用させた状態でスクリーンをリンクチェーンから取り外したり、リンクチェーンに取り付けることにより、スクリーンの取り外し、取り付け作業中にリンクチェーンが周回移動するのを防止でき、装置の分解、組立作業を安全に行うことができる。しかも、スクリーンの取り外し、取り付けに伴うスプロケットホイールの両側における重両バランスの崩れを考慮したり、チェーンブロックを引っ掛けて固定しておく必要がないばかりでなく、制動手段を操作することによってスクリーンを周回させる周回機構であるリンクチェーンを、スクリーンの取り外し、取り付けに適した位置に容易に停止させることができ、装置の分解・組立作業を迅速に効率よく行うことができる。また、制動手段を着脱自在に設けたことにより、複数の装置の分解、組立作業に容易に対応することができ、コストの低減を図ることができる。さらに、足踏みペダルを設けて制動力を制御できるようにしているため、作業の状況に応じて制動力の解除や制動力の大きさを手お使わずに制御してリンクチェーンの移動を容易に行え、分解、組立作業の効率を向上することができる。
【００１１】
【発明の実施の形態】
本発明に係る除塵装置と除塵装置に着脱可能なディスクブレーキとからなる装置の好ましい実施の形態を、添付図面に従って詳細に説明する。
【００１２】
図１は、本発明の実施の形態に係る除塵装置と着脱可能のディスクブレーキからなる装置であって、同図（１）は冷却水等の取水路に配設される除塵装置の全体説明図であり、同図（２）は駆動モータ部の側面図である。図１において、固液分離装置である除塵装置１０は、取水路１２の上方に、軸１４を介して回転自在に設けた上部スプロケットホイール１６と、取水路１２の水底部１８に回転自在に設置した下部スプロケットホイール２０とを有し、これらのスプロケットホイール１６、２０に公知の無端状リンクチェーン２２が架設してある。そして、リンクチェーン２２とスプロケットホイール１６、２０とは周回移動機構を構成しており、リンクチェーン２２に水中の塵芥を捕捉する複数のスクリーン２４がリンクチェーン２２の周回方向に連続的に取り付けてある。リンクチェーン２２は、取水路１２の両側に配設してあって、それぞれが複数のリンク２６を無端状に連結して構成してある。そして、各スクリーン２４は、各リンクチェーン２２を構成しているリンク２６間に固定するための図示しないスクリーン枠を有し、このスクリーン枠に取水を漉す金網または鋤状に多数平行配設したバー部材からなくスクリーン本体が取り付けてある。
【００１３】
上部スプロケットホイール１６を取り付けた軸１４には、鎖車２８が設けてある。この鎖車２８は、上部スプロケットホイール１６を介してリンクチェーン、すなわちスクリーン２４を周回駆動するもので、駆動手段である駆動モータ３０に取り付けた鎖車３２との間に伝動チェーン３４が巻掛けしてある。従って、駆動モータ３０を駆動することにより、モータ３０の回転駆動力が鎖車３２、伝動チェーン３４を介して鎖車２８に伝達され、鎖車２８が回転することにより、上部スプロケットホイール１６、リンクチェーン２２を介してスクリーン２４を矢印３６、３８のようにスプロケットホイール１６、２０間を周回移動させる。そして、水流４０によって運ばれてきた塵芥（図示せず）は、スクリーン２４によって捕捉されて取水路１２の上方に搬送され、取水路１２の上方のリンクチェーン２２内に設けた噴射ノズル４２から噴射された圧力水によって排出トラフ４４に排出される。また、リンクチェーン２２の上部は、水路１２を塞いでいる床面に設けたハウジング４５によって覆ってある。
【００１４】
駆動モータ３０は、回転軸が回転子を収納しているモータカバーの後方側にも突出していて、このモータカバーの後方側に突出した尾軸に図１（２）に示したように、制動手段であるディスクブレーキ４６が設けてある。このディスクブレーキ４６は、高圧フレキシブルホース４８を介して接続した制動力を制御する制御部５０を備えている。制御部５０は、足によって踏下される足踏みペダル５１と、この足踏みペダル５１によって制御される制御弁ユニット５３とを有していて、足踏みペダル５１を踏下操作することにより制御弁ユニット５３を制御でき、駆動モータ３０に制動力を与えたり、制動力を解除することができるとともに、ペダル５１の踏み込み量を調整することによって、駆動モータ３０に与える制動力の大きさを変えることができるようにしてある。
【００１５】
ディスクブレーキ４６は、図２に示してあるように、駆動モータ３０の尾軸５２に着脱自在に取り付けたブレーキディスク５４を有していて、このブレーキディスク５４の外周縁部を跨いでキャリパ５６が配設してある。このキャリパ５６には、図３（１）に示したように、ブレーキディスク５４の両側面に対面させて摩擦パッド５８が設けてあって、これらの摩擦パッド５８を油圧によってブレーキディスク５４の軸線方向に移動させてブレーキディスク５４を挟持することにより、駆動モータ３０に制動力を与えることができるようになっている。
【００１６】
キャリパ５６は、固定ブラケット６０を介してブレーキスタンド６２に取り付けてある。このブレーキスタンド６２は、例えばチャンネル材によって構成してあって、中間部に屈曲部を有して略「く」の字状をなすとともに、下端部にベースプレート６４が固定してあり、このベースプレート６４を介してハウジング４５の駆動部座６６に設けた取付ベース６８に着脱自在に固定してあり、ベースプレート６４を取付ベース６８から取り外すことにより、キャリパ５６を容易に移設できるようになっている。また、ブレーキスタンド６２の上部の側部には、ディスクブレーキ４６を覆うカバー７０が着脱可能に固着してある。なお、図２に示した符号７２は、ブレーキスタンド６２の支持を補強するブラケットである。
【００１７】
上記のごとく構成した実施の形態においては、スクリーン２４をリンクチェーン２２から取り外す除塵装置の分解作業の際、またはリンクチェーン２２に取り付ける除塵装置１０の組立作業の際に、制御部５０の足踏みペダル５１を踏下する。これにより、図示しない油圧源から圧油がキャリパ５６に供給され、摩擦パッド５８がブレーキディスク５４を挟圧して駆動モータ３０に制動力を与える。従って、上部スプロケットホイール１６の両側の重量バランスが崩れても駆動モータ３０の自転を阻止され、除塵装置１０の分解、組立作業を安全に行うことができる。
【００１８】
そして、除塵装置１０の分解、組立の際に上部スプロケットホイール１６を回転させてリンクチェーン２２を周回移動させる場合には、駆動モータ３０を起動するとともに足踏みペダル５１の踏み込み量を調整して制動力を弱め、リンクチェーン２２が次のスクリーン２４の取り外し、取り付けに適した位置に送られたときに、足踏みペダル５１の踏み込み量を大きくしてリンクチェーン２２の周回移動を停止させる。従って、リンクチェーン２２をスクリーン２４の取り外し、取り付けに適した位置に容易に停止させることができ、除塵装置１０の分解、組立作業を迅速に行え、作業効率が向上する。また、上部スプロケットホイール１６の両側で重量バランスが崩れて駆動モータ３０が自転するような場合、駆動モータ３０を起動せずに足踏みペダル５１の踏み込み量の調整だけでリンクチェーン２２を周回移動することができる。しかも、実施の形態においては、ブレーキディスク５４を駆動モータ３０に着脱自在に装着してあるとともに、ブレーキディスク５４を挟圧する摩擦パッド５８を備えたキャリパ５６をブレーキスタンド６２とともに容易に移設することができるため、複数の除塵装置１０が設置してある場合に、１組のディスクブレーキ４６を順次移設することにより、複数の除塵装置１０の分解、組立に対応することができる。
【００１９】
なお、前記実施の形態においては、制動手段がディスクブレーキ４６である場合について説明したが、制動手段はドラムブレーキやバンドブレーキ等であってもよい。また、前記実施の形態においては、水路中の塵芥を捕捉する除塵装置について説明したが、これに限定されないことは勿論である。
【００２０】
【発明の効果】
以上に説明したように、本発明によれば、スクリーンを周回移動させる駆動手段に制動手段を設け、駆動手段に制動力を作用させた状態でスクリーンをリンクチェーンから取り外したり、リンクチェーンに取り付けることにより、スクリーンの取り外し、取り付け作業中にリンクチェーンが周回移動するのを防止でき、装置の分解、組立作業を安全に行うことができる。しかも、スクリーンの取り外し、取り付けに伴うスプロケットホイールの両側における重両バランスの崩れを考慮したり、チェーンブロックを引っ掛けて固定しておく必要がないばかりでなく、制動手段を操作することによってスクリーンを周回させる周回機構を、スクリーンの取り外し、取り付けに適した位置に容易に停止させることができ、分解・組立作業を迅速に効率よく行うことができる。また、制動手段を着脱自在に設けたことにより、複数の装置の分解、組立作業に容易に対応することができ、コストの低減を図ることができる。さらに、足踏みペダルを設けて制動力を制御できるようにしているため、作業の状況に応じて制動力の解除や制動力の大きさを手お使わずに制御して周回機構の周回移動を容易に行え、分解、組立作業の効率を向上することができる。
【図面の簡単な説明】
【図１】本発明の実施の形態に係るの除塵装置と除塵装置に着脱可能なディスクブレーキとからなる装置の除塵装置部の全体説明図と駆動モータ部の側面図である。
【図２】図１（２）のＡ−Ａ線に沿う矢視図。
【図３】実施の形態に係るディスクブレーキの平面図と断面図である。
【符号の説明】
１０          除塵装置
１６、２０、２２    周回機構（上部スプロケットホイール、下部スプロケッ
トホイール、リンクチェーン）
２４          スクリーン
３０          駆動手段（駆動モータ）
３４          伝動チェーン
４６          制動手段（ディスクブレーキ）
５０          制御部
５１          足踏みペダル
５３          制御弁ユニット
５４          ブレーキディスク
５６          キャリパ
５８          摩擦パッド
【図１】
0003869059.tif 000002
【図２】
0003869059.tif 000003
【図３】
0003869059.tif 000004